(57)【要約】      （修正有）【課題】背凭れの背杆と座板取付金具との枢着部分の構造を利用して肘掛けをも取り付ける簡単な構造の椅子を提供する。【解決手段】脚と、脚の上端に装架された支基と、支基に、前端部が前後移動可能として取り付けられた座板取付金具７と、座板取付金具７に取り付けられた座板と、支基に左右方向を向く横軸をもって枢着された背杆５と、背杆５に支持された背凭れと、座板の側方に配設した肘掛け支柱１０とを備え、座板取付金具７の後部に固着した軸２３をもって、背杆５における横軸より後方の部分を座板取付金具７に枢着するとともに、肘掛け支柱１０を座板取付金具７に取り付ける。【選択図】図５
2011120934.tif 000002
【特許請求の範囲】
【請求項１】
脚と、
該脚の上端に装架された支基と、
該支基に、前端部が前後移動可能として取り付けられた座板取付金具と、
該座板取付金具に取り付けられた座板と、
前記支基に左右方向を向く横軸をもって枢着された背杆と、
該背杆に支持された背凭れと、
前記座板の側方に配設した肘掛け支柱
とを備え、前記座板取付金具の後部に固着した軸をもって、前記背杆における前記横軸より後方の部分を前記座板取付金具に枢着するとともに、前記肘掛け支柱を前記座板取付金具に取り付けたことを特徴とする椅子。
【請求項２】
背杆を枢着する軸の内端部にねじ孔を設け、座板取付金具の後部に設けた前後方向を向く仕切板に設けた孔に挿通したボルトを前記ねじ孔に螺入することにより、前記軸の内端部を座板取付金具に固着した請求項１記載の椅子。
【請求項３】
背杆を枢着する軸の外端部に雌ねじ部を設け、肘掛け支柱の外方から挿通したボルトを前記雌ねじ部に螺入させることにより、前記肘掛け支柱を、前記軸を介して座板取付金具に固着した請求項１または２記載の椅子。
【発明の詳細な説明】
【技術分野】
【０００１】
本発明は、背凭れの傾動に連動して座を前後移動させうるようにした肘掛け付きの椅子に関する。
【背景技術】
【０００２】
従来の回転椅子には、背凭れに寄り掛かる座者の荷重により、背凭れが後方に傾動するとともに、座も傾動し、かつ前後移動するものがある。このような椅子は、座者の座り心地を改善し、疲労感をなくす利点がある。
【０００３】
このような椅子においては、肘掛けを支基に取り付けるには、肘掛け支柱を支基に届くように内側に曲がった構造のものとするか、その目的のためだけに、支基から延びる横軸が取り付けられていた(例えば特許文献１〜３参照)。
そのため、構造が面倒なものとなっていた。
【先行技術文献】
【特許文献】
【０００４】
【特許文献１】特開平１０−２３４５１２号公報
【特許文献２】特開平１０−１１７８８３号公報
【特許文献３】特開平１０−１２７４１０号公報
【発明の概要】
【発明が解決しようとする課題】
【０００５】
本発明は、上述の問題点に鑑み、背凭れの背杆と座板取付金具との枢着部分の構造を利用して、肘掛けをも取り付けるようにした、簡単な構造の椅子を提供することを目的としている。
【課題を解決するための手段】
【０００６】
本発明によると、上記課題は、次のようにして解決される。
(１) 脚と、該脚の上端に装架された支基と、該支基に、前端部が前後移動可能として取り付けられた座板取付金具と、該座板取付金具に取り付けられた座板と、前記支基に左右方向を向く横軸をもって枢着された背杆と、該背杆に支持された背凭れと、前記座板の側方に配設した肘掛け支柱とを備え、前記座板取付金具の後部に固着した軸をもって、前記背杆における前記横軸より後方の部分を前記座板取付金具に枢着するとともに、前記肘掛け支柱を前記座板取付金具に取り付ける。
【０００７】
このような構成とすると、肘掛け支柱、従って肘掛けは、別個に支基に取り付けられることなく、座板取付金具と背杆との取付部分である軸受部を利用して取り付けられるので、座板取付金具または肘掛け支柱の構造を複雑化することなく、簡単に、かつ確実に支持される。
【０００８】
（２）  上記(１)項において、背杆を枢着する軸の内端部にねじ孔を設け、座板取付金具の後部に設けた前後方向を向く仕切板に設けた孔に挿通したボルトを前記ねじ孔に螺入することにより、前記軸の内端部を座板取付金具に固着する。
【０００９】
（３）  上記(１)または(２)項において、背杆を枢着する軸の外端部に雌ねじ部を設け、肘掛け支柱の外方から挿通したボルトを前記雌ねじ部に螺入させることにより、前記肘掛け支柱を、前記軸を介して座板取付金具に固着する。
【発明の効果】
【００１０】
本発明によると、背凭れの背杆と座板取付金具との枢着部分の構造を利用して、肘掛けをも取り付けるようにした、簡単な構造の椅子を提供することができる。
【図面の簡単な説明】
【００１１】
【図１】本発明の一実施形態である椅子の側面図である。
【図２】同じく、椅子の分解斜視図である。
【図３】同じく、背杆の斜視図である。
【図４】同じく、軸受部の斜視図である。
【図５】同じく、座板取付金具、軸、受枠、背杆の一部分、および肘掛け支柱の一部分を、分解して示す斜視図である。
【図６】同じく、組み付けた状態における座板取付金具、軸、受枠、背杆の一部分、および肘掛け支柱の一部分を示す拡大断面図である。
【発明を実施するための形態】
【００１２】
図１は、本発明の一実施形態の椅子の側面図、図２は、その分解斜視図で、これらの図に示すように、キャスター付きの脚(１)の上端に、支基(２)が回転自在に装架されており、支基(２)の後部で左右方向に延びる横軸(３)には、背凭れ(４)の左右を支持し、かつ背凭れ(４)の下端から前方に延びる背杆(５)(図３参照)の先端に形成された左右方向を向く軸筒(６)が枢着されている。
【００１３】
座板取付金具(７)の後部の左右に設けた軸受部(８)には、背凭れ(４)の背杆(５)の中間部の前部に設けた、上方に突出する耳片(９)が、回動可能に収容されている。この詳細については、他の図を参照して後述する。
【００１４】
座板取付金具(７)の前部には、下方へ突出する耳片(11)が設けられ、この耳片(11)の孔に挿通したピン(14)は、支基(２)の前部に設けた上向突片(2a)に設けた前後方向に延びる長孔(12)に挿通され、座板取付金具(７)の前部を支基(２)に水平方向に移動可能に支持している。
【００１５】
座板取付金具(７)の上には、座(17)の下面を構成する座板(18)が取り付けられている。
【００１６】
図５に示すように、座板取付金具(７)は、後部において左右方向に延びる横杆(13)と、横杆(13)の左右両端部から前後方向に延びるレール(15)とから構成されている。
【００１７】
横杆(13)は、鋼板をおおよそ上向きコ字状の断面をなすように折り曲げて形成され、その左右の両端部には、図６に示すように、間隔を隔ててコ字状の内部に、前後方向を向く仕切板(19)(20)を溶接してある。仕切板(19)には、比較的大径の丸孔(21)、仕切板(20)には、比較的小径の孔(22)を穿設して、軸受部(８)としてある。
【００１８】
軸受部(８)の下面、すなわちコ字状の底部には、背杆(５)の耳片(９)を挿通する開口(16)が設けられている。
【００１９】
軸受部(８)には、軸(23)が挿入されている。軸(23)の内端部には、ねじ孔(23a)が、また、外端部には、雌ねじ部(23b)が穿設されている。
【００２０】
軸受部(８)の外側には、図４に示すように、プラスチックの成型品である受枠(24)が配設されている。受枠(24)は、中央に左右方向に貫通する孔(27)を有し、その内端部は、断面コ字状の軸受部(８)の外側に嵌合する断面四角形の嵌合部(28)とされ、同じく外端部は、平面視略Ｖ字状の垂直面(29)に形成されている。
【００２１】
受枠(24)の外方に、肘掛け支柱(10)の下端部と、これを取り付けるボルト(25)が示されている。肘掛け支柱(10)の下端部から、内方に取付軸(30)が突出し、その先端には、垂直面(29)と補形をなす垂直面(31)が形成されている。
【００２２】
図５に示すように、軸受部(８)には、まず背杆(５)の耳片(９)を、下方から開口(16)に差し入れる。次いで、軸受部(８)の外方から、軸(23)を、仕切板(19)の丸孔(21)へ通し、かつ耳片(９)の孔を通して挿入し、内端を内部の仕切板(20)に当接させ、孔(22)からボルト(32)を軸(23)の内方のねじ孔(23a)に螺入することにより止め付けられる。
【００２３】
この状態では、図６に示すように、軸(23)の外端部は、相当に軸受部(８)の外部に飛び出している。ここに、受枠(24)を挿通して、軸受部(８)の外側に嵌合させる。受枠(24)の外端部のＶ字形の垂直面(29)に垂直面(31)を当接させて、肘掛け支柱(10)を位置させ、その外方からボルト(25)を、肘掛け支柱(10)へ挿通し、受枠(24)の孔(27)へ嵌合した軸(23)の雌ねじ部(23b)に螺入させて、肘掛け支柱(10)を取り付ける。
【００２４】
このような構成であるので、背凭れ(４)の傾動に連動して、座板(18)、従って座(17)は、若干後部が下方に沈みながら、前後移動することができる。
【符号の説明】
【００２５】
(１)脚
(２)支基
(2a)上向突片
(３)横軸
(４)背凭れ
(５)背杆
(６)軸筒
(７)座板取付金具
(８)軸受部
(９)耳片
(10)肘掛け支柱
(11)耳片
(12)長孔
(13)横杆
(14)ピン
(15)レール部
(16)開口
(17)座
(18)座板
(19)(20)仕切板
(21)丸孔
(22)孔
(23)軸
(23a)ねじ孔
(23b)雌ねじ部
(24)受枠
(25)ボルト
(26)肘掛け
(27)孔
(28)嵌合部
(29)垂直面
(30)取付軸
(31)垂直面
(32)ボルト
【図１】
2011120934.tif 000003
【図２】
2011120934.tif 000004
【図３】
2011120934.tif 000005
【図４】
2011120934.tif 000006
【図５】
2011120934.tif 000007
【図６】
2011120934.tif 000008